(57)【要約】      （修正有）【課題】収納した荷物が盗難に遭うことを防止する。【解決手段】底部と前後側壁３，４と左右側壁５，６とにより上面を開口した荷籠本体１の後側壁４を上方へ延長させて上端までの高さを高くする。上記背を高くした後側壁４の上端に近い位置の前側面に、伸縮自在とした口部８を有する袋７を、左右方向へ伸ばした状態で取り付け、袋７を吊り下げておくようにする。上記袋７の口部８に、ビニール製のカバー１３をギャザー１１、連結材１２を介して一体に接続し、該カバー１３で袋７の前側を覆うようにしたり、荷籠本体１の上面開口部１０を覆うようにする。更に、荷籠本体１内に中底を設けて、上部収納部２２と下部収納部を形成する。中底を、前側中底と後側中底に分割して、前側中底を開閉式とし、側壁５，６の一部を、伸縮できるネット部材よりなる側壁３０とし、横長の物を収納できるようにする。【選択図】図１
0003109203.tif 000002
【実用新案登録請求の範囲】
【請求項１】
底部と前後左右の各側壁からなる上面開口の荷籠本体の後側壁の上端に近い位置の前側
面に、伸縮自在としてある口部を有する袋の該口部を、左右方向へ伸ばした状態で取り付
けて、上記後側壁の前側面に袋を装備し、且つ該袋の口部に、上記荷籠本体の上面開口部
を覆い得る大きさとしてあるカバーを接続し、該カバーの先端部を折曲げて上記袋の覆い
もできるようにした構成を有することを特徴とする自転車用荷籠。
【請求項２】
荷籠本体の後側壁を、上方へ延長させて他の側壁の高さよりも背を高くした請求項１記
載の自転車用荷籠。
【請求項３】
荷籠本体の後側壁の上端部に着脱可能に嵌着できるようにした装着具の前面に袋の口部
を取り付けて、上記後側壁の前側面に袋を装備させるようにする請求項１又は２記載の自
転車用荷籠。
【請求項４】
荷籠本体内に中底を設けて上部収納部と下部収納部を形成し、更に、該中底を、前側中
底と後側中底に分割して、後側中底を固定式とすると共に、前側中底を前側又は後側へ回
動する開閉式とした請求項１、２又は３記載の自転車用荷籠。
【請求項５】
下部収納部の一側に開口を設けて、該開口に開閉扉を取り付けるか又は該開口より抽斗
を出し入れできるようにした請求項４記載の自転車用荷籠。
【請求項６】
左右の側壁の後側壁寄りの一部を、伸縮自在な側壁として左右方向へ伸びるようにした
請求項１、２、３、４又は５記載の自転車用荷籠。
【考案の詳細な説明】
【技術分野】
【０００１】
本考案は、自転車のハンドルの前側に取り付けて用いる自転車用荷籠に関するものであ
る。
【背景技術】
【０００２】
ほとんどの自転車には、ハンドルの前側に荷物を収納できるようにした荷籠が装備され
ている。
【０００３】
かかる自転車に用いられている荷籠には、金属製の線材を縦横に組み合わせて折り曲げ
加工したり、板金にプレス加工を施す等して製作された金属製のもの、あるいは、合成樹
脂を成形加工して製作された合成樹脂製のもの、等がある。一般的に、荷籠は、多くの荷
物を収納できるようにすると共に、荷物の出し入れが容易となるようにし、更に、外部か
らの力によっても容易に変形しないで収納荷物を保護できるようにするために、或る程度
の強度を有するものとして、上面を開口させたものとしてある。
【０００４】
しかし、自転車の荷籠は、上面を開口した１つの収納スペースしかないものであり、ス
ーパー等の店舗で多くの品物を購入して買物袋ごと多くの品物を荷籠に収納すると、買物
をしたもの以外の荷物、たとえば、貴重品が入っている袋や鞄等を収納するスペースがな
くなってしまう場合が多い。そのため、ほとんどの場合は、荷籠に収納した荷物の上に、
貴重品等が入れてある袋や鞄等を載せた状態で自転車を走行させたり、自転車を押して移
動させているというのが実状である。
【０００５】
そのため、かかる場合には、自転車の荷籠内の荷物の上に載置させた状態としてある貴
重品入りの袋や鞄等が荷籠上から落下したり、他人とすれ違うときに持ち去られる、いわ
ゆる引っ手繰りの被害に遭うことが多くなっている。
【０００６】
かかる実状に鑑み、近年では、自転車の前側の荷籠に収納した荷物を他人が容易に持ち
去ることができないようにするための工夫、研究が進められ、荷籠に入れた荷物を伸縮性
のあるネット状の部材で包むようにすることが採用されている。
【０００７】
しかし、ネット状の部材を伸ばして荷物を包んでから荷籠に止めたり、又、荷籠から外
したりする作業が面倒である。
【０００８】
そのため、荷籠に入れた荷物の上方を簡単に覆うようにしたり、貴重品や小物類を荷籠
内に直接入れることなく収納するようにするものが提案されている。
【０００９】
図７は自転車の前側の荷籠に収納した荷物の上方を覆うようにした一例を示すもので、
荷籠ａの後側壁に重ねて該荷籠ａの後側壁とともに自転車のハンドル軸ｂに固定させるよ
うにする固定プレートｃと、該固定プレートｃの上端部に上下方向に回動自在に取り付け
た蓋部ｄと、該蓋部ｄに取り付けた連結軸ｅと上記固定プレートｃとの取付部に設けたス
プリングｆとからなるものとし、固定プレートｃを荷籠ａの後側壁に沿わせて自転車のハ
ンドル軸ｂに固定して使用するようにしたものである。上記蓋部ｄは、方形状のフレーム
に金網を張ったもので、収納した荷物ｇを上方から押し付けるようにしてある。そのため
、荷籠ａ内に荷物ｇを収納していないときは、蓋部ｄを実線で示す如く荷籠ａ内の後側へ
倒れた状態にしておくようにし、荷物ｇを入れるときは、蓋部ｄを上方へ起こし、荷物ｇ
を入れたときは、蓋部ｄを二点鎖線で示す如く荷物ｇの上に置き、スプリングｆの力で荷
物ｇに押し付けるようにして、荷物ｇの上を覆うようにしてある（たとえば、特許文献１
参照）。
【００１０】
図８は自転車の荷籠の上方を覆うようにした他の例を示すもので、籠ａの上面開口部ｈ
を施蓋するようにしたカバー本体ｉの一端側を、自転車のハンドルｊに取付係止部ｋを介
して取り付けて、ハンドルｊを支点として上下方向へ回動できるようにすると共に、カバ
ー本体ｉの他端側に係合部ｌを設けて、籠ａの前部上端縁ｍに嵌着できるようにし、又、
カバー本体ｉは、合成樹脂等の透明板ｎの周辺に枠体ｏを固着した構成としてあり、籠ａ
に荷物を入れたとき、カバー本体ｉを上面開口部ｈに施蓋して使用するようにしてある（
たとえば、特許文献２参照）。
【００１１】
又、図９（イ）（ロ）は貴重品や小物等を自転車の荷籠に直接入れることなく収納する
ようにしたものの一例を示すもので、図９（イ）は前側を左右に開閉できるようにした袋
ｐの後側の上端部にフックｑを設けた構成とし、自転車の荷籠ａの後側壁の外側より上端
にフックｑを掛けて、自転車の荷籠ａの後側に袋ｐを取り付けるようにしたものである。
図９（ロ）は箱形の形態を保持できるようにした袋ｒにフックをつけた構成として、該フ
ックを自転車の荷籠ａの後側壁の上端部に掛けることにより、自転車の荷籠ａの後側に取
り付けるようにしたものである（たとえば、特許文献３参照）。
【００１２】
更に、貴重品等を入れた袋や鞄等を別のところに収納できるようにしたものも従来提案
されている。図１０はその一例を示すもので、荷籠ａの内部スペースを上下に分割して、
上下２つの荷物収納部ｓとｔを形成する中底ｕを設け、且つ該中底ｕの一端部を蝶番ｒに
より回動できるように取り付け、更に、周方向の一側壁に開口部ｗを設けて、開閉蓋ｘを
取り付け、下部の荷物収納部ｔへの荷物の出し入れを開口部ｗからでも行えるようにした
ものである（たとえば、特許文献４参照）。
【００１３】
【特許文献１】特開平１１−１８９１８７号公報
【特許文献２】実開平５−５６７７８号公報
【特許文献３】特開２００１−２５８６３０号公報
【特許文献４】実用新案登録第３０８３９１８号公報
【考案の開示】
【考案が解決しようとする課題】
【００１４】
ところが、特許文献１に記載されたものは、蓋部ｄに下向きの力を付勢させて荷物ｇを
押さえるようにすることにより、手を荷籠内に挿入しても荷籠内の荷物を容易に取り出す
ことができないようにしたものであるが、蓋部ｄはスプリングｆの力で下方へ付勢されて
いるだけであり、荷籠ａ内に収納されている荷物ｇの上に、貴重品入り袋や鞄等の別の荷
物を載置した場合には、蓋部ｄの押付力のみでかかる別の荷物を保持することは難しく、
振動で荷籠ａから落下したり、横から手を入れられて引っ手繰られるおそれがある。
【００１５】
又、特許文献２で記載されたものは、籠ａの上面開口部ｈを、自転車のハンドルｊに取
り付けたカバー本体ｉで施蓋するようにしたもので、自転車のハンドルｊにカバー本体ｉ
を取り付けることにより使用することができるが、カバー本体ｉは係合部ｌを籠ａの前部
上端縁ｍに嵌着させて施蓋する使い方だけであり、籠ａ内の後側に収納した荷物を、上記
カバー本体ｉで押えて保持させるようにすることはできないものである。
【００１６】
次に、特許文献３に記載されたものは、自転車の荷籠ａの外側に袋ｐ又はｒを取り付け
るようにしたものであり、携帯電話機の如き小物を一時的に入れておく場合には、すぐ取
り出すことができて有効であるが、貴重品を入れる袋として用いる場合は、袋ｐ又はｒを
荷籠ａから容易に取り外せることから、袋ｐ又はｒを荷籠ａから外して持ち去られるおそ
れがあると共に、走行中に袋ｐ又はｒ内から荷物を出すようなときに、袋ｐ又はｒが荷籠
ａから外れるおそれがあり、荷籠ａから外れると、袋ｐ，ｒは荷籠ａの外側にあるので、
そのまま地上へ落下してしまうおそれがある。
【００１７】
更に、特許文献４に記載されたものは、荷籠ａの内部スペースを上下に分割して、上部
収納部ｓと下部収納部ｔに荷物を分けて入れることができ、又、中底ｕを持ち上げて後側
へ倒すことによって１つの収納スペースとすることもできるものであるが、上部収納部ｓ
に貴重品等を入れた袋や鞄を収納するところはなく、又、中底ｕは全体が回動するもので
、起立させれば、中底ｕ上に荷物を置くことはできない、という問題がある。
【００１８】
そこで、本考案は、かかる従来の技術のもつ問題点を解消し、貴重品等を荷籠に入れて
も盗難に遭うことを防止し、且つ荷物を区分けして有効に収納できるようにした自転車用
荷籠を提供しようとするものである。
【課題を解決するための手段】
【００１９】
本考案は、上記課題を解決するために、底部と前後左右の各側壁からなる上面開口の荷
籠本体の後側壁の上端に近い位置の前側面に、伸縮自在とした口部を有する袋の該口部を
、左右方向へ伸ばした状態で取り付けて、後側壁の前側面に沿い袋を吊り下げ配置し、且
つ該袋の口部に、上記荷籠本体の上面開口部を覆い得る大きさとしてあるカバーを接続し
、該カバーの先端部を折曲げて上記袋の覆いもできるようにした構成とし、又、上記荷籠
本体の後側壁を、上方へ延長させて他の側壁の高さよりも背を高くした構成とする。
【００２０】
又、上記構成において、荷籠本体の後側壁の上端部に着脱可能に嵌着できるようにした
装着具の前面に袋の口部を取り付けて、上記後側壁の前側面に袋を装備させるようにした
り、荷籠本体内に中底を設けて上部収納部と下部収納部を形成し、更に、該中底を、前側
中底と後側中底に分割して、後側中底を固定式とすると共に、前側中底を前側又は後側へ
回動する開閉式とした構成とし、更に、下部収納部の一側に開口を設けて、該開口に開閉
扉を取り付けるか又は該開口より抽斗を出し入れできるようにする。
【００２１】
更に、上記のようにした構成において、左右の側壁の後側壁寄りの一部を、伸縮自在な
側壁として左右方向へ伸びるようにした構成とする。
【考案の効果】
【００２２】
本考案の自転車用荷籠によれば、
（１）底部と前後左右の各側壁からなる上面開口の荷籠本体の後側壁の上端に近い位置の
前側面に、伸縮自在とした口部を有する袋の該口部を、左右方向へ伸ばした状態で取り付
けて、後側壁の前側面に沿い袋を吊り下げ配置し、且つ該袋の口部に、上記荷籠本体の上
面開口部を覆い得る大きさとしてあるカバーを接続し、該カバーの先端部を折曲げて上記
袋の覆いもできるようにした構成としてあるので、後側壁の前側面に取り付けてある袋に
、財布等の貴重品を直接入れたり、貴重品を入れた手提袋やハンドバッグ等でも容易に入
れることができると共に、該袋の前側はカバーで覆うことができて、袋がネット状に作ら
れている場合でも外から袋の中の物を見ることができないようにすることができることか
ら、袋の存在を引っ手繰り犯人に気付かせないようにすることができて袋が持ち去られた
りすることを防止できるほか、袋の口部は自在に伸縮でき且つ十分な収縮力を有する構成
としてあって、荷籠本体の後側壁に取り付けられている状態では、口部は直線状に伸びて
閉じた状態となるようにしてあることから、袋内に収納した品物を口部より瞬時に取り出
すことを防止できて、袋に収納したものが盗難に遭うことを防止できる。又、袋が万一、
後側壁より外れても、荷籠本体の外へ落下するようなこともない。  
（２）上記（１）において、袋の前側にあるカバーを袋に押しつけるようにすれば、該カ
バーより前側を広いスペースとして使用することができて、多くの品物を収納することが
でき、この場合に、袋は前記のように前面部をカバーで覆われて保護されているので、他
の収納物により袋が汚されることもなくなる。  
（３）荷籠本体の後側壁を上方へ延長させて上端部を他の側壁より高くすることにより、
その上端部に近い位置に袋を取り付ける袋の取付位置が高くなるので、大きい袋を用いる
ことができて、より多くの貴重品や大切な物を入れて保護することができる。  
（４）荷籠本体の後側壁に取り付ける袋の口部に接続してあるカバーは、折り曲げた状態
で上記袋の前側を覆うようにすることができ、伸ばせば荷籠本体の上面開口部を覆うこと
ができるようにしてあるので、荷籠本体内に収納した荷物の上面を覆うことにより荷物の
盗難を防止することができると共に、降雨時でも収納した荷物が濡れることを防止するこ
ともできる。  
（５）荷籠本体内に中底を設けて上部収納部と下部収納部を形成し、更に、該中底を、前
側中底と後側中底に分割して、後側中底を固定式とすると共に、前側中底を前側又は後側
へ回動する開閉式とした構成とし、更に下部収納部の一側に開口を設けて、該開口に開閉
扉を取り付けるか又は該開口より抽斗を出し入れできるようにすることにより、荷物を区
分けして収納することができて、重い物、固い物、壊れ易い物等を混載することを防止で
き、特に、壊れ易い物、割れ易い物、軟かくて潰れ易い物等や、前記後側壁前面の袋に入
り切らない貴重品等は、下部収納部に収納して一側より出すことができて、破損や変形を
防止できると共に、盗難に遭うことも防止でき、更に、中底の分割された後側中底は固定
式としてあって、前側中底は開閉式としてあるため、後側中底上に荷物を収納したまま前
側中底を開いて荷籠本体の深さを増大させることができて、丈の長い荷物でも容易に収納
することができ、又、前側中底を後側へ回動させて起立させると、上部収納部を前後方向
に仕切ることができる。  
（６）荷籠本体内に中底を設けて上部収納部と下部収納部を形成し、更に、該中底を、前
側中底と後側中底に分割して、後側中底を固定式とすると共に、前側中底を前側又は後側
へ回動する開閉式とした構成とすることにより、横長の鞄でも、ネット部材からなる側壁
を左右方向の外方へ伸ばして水平状態に容易に収納させることができ、しかも、収納され
た横長の鞄等は、側面は伸縮する側壁で包まれるようにされていて、側形へ引き出される
ことはなく、更に、上面から前面をカバーで覆うことができて、横長の鞄等が盗難に遭う
ことを防止できる。  
（７）前面に袋の口部を取り付けた装着具を荷籠本体の後側壁の上端部に嵌着させて、袋
を後側壁の前側面に装備させるようにすることにより、既存の荷籠に対しても容易に袋付
きの荷籠とすることができる。
【考案を実施するための最良の形態】
【００２３】
以下、図面に基づき本考案を実施するための最良の形態を説明する。
【００２４】
図１乃至図４は本考案の実施の一形態を示すもので、網目状にした金属製の底部２と前
後の両側壁３，４と左右の両側壁５，６とからなる上面開口型の荷籠本体１の後側壁４を
上方へ延長させて突出させ、該後側壁４の上端の高さを、他の側壁３，５，６の上端より
も高くした構成とし、該背を高くした後側壁４の上方位置における前面に、貴重品等を直
接あるいは貴重品等を入れた袋や鞄を収納するため、柔軟性を有して変形自在としてある
袋７を取り付けて垂れ下げておくようにする。
【００２５】
上記袋７は、幅広のものとしてあって、大きく膨らむことができるようにゴムを素材と
してネット状に編んでなるもの、あるいは布製のものとしてあり、口部８は伸縮できるよ
うに、幅広のゴム等の伸縮部材９を用いて十分な強度と収縮力が得られるようにしてあり
、上記口部８を横方向に伸ばして僅かに引張力を付させることにより、口部８は収縮力に
より常に閉じた状態となるようにしてある。更に、上記袋７の口部８の一側縁における伸
縮部材９に沿う位置に、該伸縮部材９の伸縮に追従して自在に伸縮できるように、たとえ
ば、ニットで編んで狭幅としてあるギャザー１１の幅方向の一端縁部を取り付けて、該ギ
ャザー１１の幅方向の他端縁部に、荷籠本体の上面開口部１０を覆ったり、荷籠本体１内
に収納した荷物をカバーさせるようにするため厚手のビニール製としてあるカバー１３の
末端部を、たとえば、ニットで編んで長手方向に伸縮性を有するようにしてある連結材１
２を介して接続する。
【００２６】
上記構成の袋７は、カバー１３が前側となるようにして、上記荷籠本体１の後側壁４の
前面側に位置させて、口部８を左右方向へ引張って直線状にした状態で、後側壁４の上端
部位置における左右両端部に取り付けたフック１４に口部８の左右両側部を引掛けて取り
付け、後側壁４の前面に保持させる。このように、袋７の口部８を、背を高くした後側壁
４の上端部に取り付けるようにすることから、袋７としてより大きいものを用いることが
可能となり、上記袋７の上方へ開口する口部８を前方へ伸ばすことにより、口部８の伸縮
部材９により容易に伸びて口部８を大きく開口させることができるようにしてあり、大き
なハンドバッグ等でも容易に袋７内に収縮できるようにしてある。
【００２７】
又、上記カバー１３は、図３（イ）に示す如く、袋７の口部８位置から荷籠本体１の前
側壁３に達する長さを有し、且つ図３（ハ）に示す如く、先端に、荷籠本体１の前側壁３
に取り付けてある係止具１５や荷籠本体１内部に取り付けてある左右の係止具１６に係止
できるようにしたボタンの如き係止具１７を装備し、更に、先端部に、内側へ折り曲げて
保持しておくための折曲げ癖付部１８を設け、該折曲げ癖付部１８を挟んで長手方向に対
称的に面ファスナ１９，２０を内側に取り付けた構成とし、図３（イ）のように折り返し
た状態で袋７を覆うことができるようにしたり、伸長させて上記荷籠本体１の各係止具１
５又は１６に先端の係止具１７を係止させて荷物を覆うことができるようにする。
【００２８】
更に、上記荷籠本体１には、底部の所要高さ位置に中底２１を設けて、中底２１より上
方を上部収納部２２とし、且つ中底２１と底部２としての下底との間を下部収納部２３と
する。又、上記中底２１を前側中底２１ａと後側中底２１ｂに分割して、後側中底２１を
、左右の両側壁５，６と後側壁４に固定した固定式とする。一方、前側中底２１ａは、前
側壁３に蝶番等の結合部材２４で上下方向へ回動可能に結合して、水平状態と前側壁３に
沿うように起立した状態（図３（イ）で二点鎖線で示す）との間を回動して開閉できるよ
うにする。上記下部収納部２３の左右両側部に位置する側壁のうち、一方の側壁部に開口
２５を設けて、該開口２５を開閉させる開閉扉２６を、蝶番等の結合部材２７で取り付け
、該一側部の開閉扉２６を開けることにより、下部収納部２３に収納した荷物を横からも
取り出すことができるようにする。図１中、２８は開閉蓋２６に設けた係止具、２９は側
壁６に設けた止め具である。
【００２９】
又、上記上部収納部２２においては、左右両側壁５，６の各後側壁４寄りの一部、すな
わち、固定式としてある上記後側中底２１ｂの左右両側部に位置する部分の側壁部を切り
欠いて側方へ開口させた構成として、該左右の核切欠部に、伸縮自在に製作してあるゴム
製のネット部材よりなる側壁３０を左右対称的に配置して、左右の側壁５，６の各後端縁
部、後側中底２１ｂ、後側壁４に固定して閉塞し、上部収納部２２に収納した荷物が側壁
３０よりこぼれ出ることがないようにすると共に、荷籠本体１の左右方向の寸法よりも大
きい寸法の荷物、たとえば、横長の鞄等の荷物を収納するときは、両側のネット部材から
なる側壁３０を外側へ押し伸ばすことにより、後側中底２１ｂ上に横長の荷物を水平状態
に収納できるようにする。なお、荷籠本体１の内側に設ける前記カバーの係止具１６は、
左右の側壁５，６の後端縁部に内側へ突出するように取り付けるようにする。
【００３０】
更に又、荷籠本体１の後側壁４の上端部位置における背面には、図２、図３、図４に示
す如く、小物入れ用の容器３１を、たとえば、図示の如く２つ左右に並べて固定あるいは
着脱可能に取り付けて、常時は、荷籠本体１の付属物として装備されているようにする。
上記容器３１は、布製、皮製、合成樹脂製等、材質はどのようなものを用いたものでもよ
く、上部に備えた蓋３２と容器３１とを、蓋３２に取り付けた係止具としての係止用爪３
３を、容器３１に取り付けた係止具としての係止用爪押え３４に嵌めて係止させるように
する。なお、上記係止具としては、係止用爪３３と押え３４以外に、ボタン止め形式、フ
ック止め形式、等任意の形式のものが適用可能である。
【００３１】
なお、３５は荷籠本体１を自転車に取り付けるために底部２の下面と後側壁４の後側面
に取り付けた補強部材、３６は後側壁４の上下方向の中間位置に取り付けた固定用金物で
、自転車のハンドル軸に取り付けてある固定金物にボルトとナットで締め付けて固定する
ようにしてある。３７は前側中底２１ａに取り付けた係止具、３８は前側壁３の上端部に
設けた係止具である。
【００３２】
上記構成としてあるので、自転車を利用して買物に行くとき等の場合には、財布等の貴
重品や、これを入れた袋や鞄を荷籠本体１の上部収納部２２に入れておけば、容易に持ち
去られてしまうことから、荷籠本体１の後側壁４の前面に取り付けて垂下させてある袋７
に入れるようにする。この袋７は袋自体が大きく膨らむことができるように構成されてい
るので、たとえば、大きなハンドバッグ等の荷物でも容易に袋７内に収納させておくこと
ができる。袋７の口部８は、伸縮部材９を横方向に引張って収縮力が作用するようにして
あるため、口部８を収縮力に打ち勝つ力で開けば、伸縮部材９が伸長することにより貴重
品を入れた袋や鞄でも容易に収納することができる。この際、本考案では、袋７を大きく
するために、荷籠本体１の後側壁４を上方へ延長させて背を高くして、袋７を該後側壁４
の高い位置に取り付けて吊り下げるようにしてあるので、袋７は、通常荷籠の内側に取り
付ける場合に比して深さのある大きいものを用いることができる。これにより、より多く
のもの、より大きい荷物まで袋７に収納させることができることになる。
【００３３】
袋７内に荷物を収納し終えると、口部８は自然に直線上に伸びて閉じることができ、他
人が本考案の荷籠の外側から袋７内に手を入れようとしても、口部８が常に閉じた状態に
あることから、口部８から袋７内に瞬時に手を入れることは難しく、防犯効果を高めるこ
とができる。しかも、上記袋７の口部８の前側には、伸縮自在なギャザー１１、連結材１
２を介してカバー１３が取り付けてあるので、上記袋７内に荷物を収納した後に、図３（
イ）に示す如く、先端部を折り返した状態のカバー１３を袋７の前側に位置させるように
することにより、袋７がネット状のものであって、収納した荷物が袋７の外から見える状
態であっても、前面をカバー１３で覆うことができることから、袋７内の荷物を外部から
見えないように隠すことができることは勿論、袋７の存在をも引っ手繰り犯人に気付かせ
ないようにすることができて、盗難のおそれを未然に防止することができる。
【００３４】
又、上記袋７は、荷籠本体１の内側で且つ後側壁４の上端部位置の前側に取り付けてあ
って自転車に乗った位置から近い位置にあることから、自転車に乗った状態での袋７内へ
の荷物の出し入れは、袋７の口部８の前側に位置する伸縮部材９を前方へ移動させること
により容易に開口できることから、簡単に行うことができる。しかも、荷物の出し入れ中
に、万一、袋７が後側壁４から外れ落ちたとしても、袋７は荷籠本体１内に残るだけであ
り、荷籠の外へ落下するというおそれはない。
【００３５】
次に、買物を終えて買物をした荷物を自転車の荷籠に収納する場合に、これまでは、貴
重品を入れた袋や鞄を安易に買物袋等の上に載せて自転車を走行させる場合があることか
ら、引っ手繰りの盗難に遭うことがこれまでは多かったが、本考案の自転車用荷籠を用い
れば、貴重品等や、貴重品等を入れた袋や鞄は、前記のように、後側壁４の前側面に取り
付けた袋７内に収納することができる以外に、下部収納部２３を区画形成しておくことに
より、該下部収納部２３に収納しておくことができる。この場合は、上部収納部２２に買
物をした荷物を入れる前に、前側中底２１ａを前側壁３への結合点を中心に上方へ回動さ
せて、上部収納部２２より下部収納部２３へ貴重品入りの袋や鞄を収納させた後、前側中
底２２を倒して先端部を固定式とした後側中底２１ｂ上に載せて支持させた状態にし、前
側中底２１ａ上に買物袋等、買物をした荷物を載せて収納させるようにする。これにより
、貴重品入りの袋や鞄は、外部から目に触れにくい下部収納部２３内に収納できることか
ら、買物をした荷物の上に載せるようなことをなくすことができる。
【００３６】
又、買物をした荷物に、卵等の如き壊れ易いものや割れ易いもの等が含まれている場合
には、かかる壊れ易い品物や割れ易い品物等を下部収納部２３に収納することにより、他
の荷物と混載することなく、区別して収納することができる。
【００３７】
上記のように、下部収納部２３に収納した貴重品入りの袋や鞄、壊れ易い品物等を下部
収納部２３から取り出すときは、上部収納部２２に収納した荷物を取り出した後に、前側
中底２１ａを上方へ回動させて下部収納部２３を開口させることにより、上方へ取り出す
ことは可能であるが、一側部にある開閉扉２６を開けることにより、上部収納部２３に収
納されている荷物を容易に且つ簡単に側方へ取り出すことができる。なお、上記開閉蓋２
６は、常時は閉じられて側壁６に係止させてあるため、自転車の走行中の振動によっても
開くことはないようにしてあり、係止具２８に掛けた止め具２９を外して係止具２８を引
張ることにより容易に開くことができるので、便利である。
【００３８】
買物袋等、大きな荷物は、荷籠本体１内の中底２１より上方の収納スペースとなる上部
収納部２２へ主として収納させるようにする。この上部収納部２２への荷物の収納の際は
、予め、後側壁４の上端部位置の前側面に取り付けてある袋７の口部８に一体的に取り付
けられている厚手ビニール製のカバー１３を、荷物の収納に邪魔にならないように巻き上
げておくようにする。この場合は、図３（イ）に示す如く、先端部の折り返されている部
分から内側へ巻き込むようにして巻き取っておくようにする。この状態で後側壁４前面の
袋７と前側壁３と左右の側壁５，６及び３０とで囲まれる上部収納部２２に荷物を収納さ
せるようにする。
【００３９】
上部収納部２２への荷物の収納が終ると、カバー１３を展張させ、更に、図３（イ）に
示す如く折り返して面ファスナ１９，２０で止められている先端部を伸展させて最も長い
状態とし、図３（イ）に二点鎖線で示す如く、荷籠本体１の上面開口部１０を覆うように
し、カバー１３の先端を前側壁３まで引張って、該先端の係止具１７を前側壁３に備えて
ある係止具１５に係止させるようにする。これにより、荷籠本体１の上面開口部１０をカ
バー１３で覆って塞ぐことができ、カバー１３と側壁５，６及び３０との間の隙間より手
を入れることを難しくすることができて、盗難を未然に防止することができる。
【００４０】
又、丈が長くて横にしても荷籠本体１内へ安定させて収納することができず、立てると
荷籠本体１より上方へ大きく突出するような荷物を収納する必要が生じたときは、前側中
底２１ａを起立させて前半部分のみ中底のない状態にする。これにより、荷籠本体１の前
半部分には、上記のような丈の長い荷物を収納することができると共に、後半部分には、
固定の後側中底２１ｂがあるので、その上に荷物を載せて収納させることができ、更に、
後半部分の下部収納部２３にも荷物を入れておくことができ、大きさの異なる多くの荷物
を区分けして有効に収納させることができる。
【００４１】
更に、後側壁４の後側面には、小物入れ用の容器３１が取り付けてあるので、通常、通
勤、通学用の鞄の中に入れたり、ハンドバッグ等に入れて携帯するような、たとえば、携
帯電話機の如き比較的小さい物は、容器３１に入れておくことができる。特に、携帯電話
機の場合、ハンドバッグ等に収納されている状態で着信音をキャッチしても直ちに取り出
すことができずに多くの時間を要する場合が多々ある。このような場合にも、自転車を利
用する者にとって最も近い位置にある荷籠本体後側壁４の背面の容器３１に携帯電話機を
入れておけば、直ちに取り出して使用することが可能となる。
【００４２】
上記容器３１の形状としては、図２、図３（イ）、図４では便宜上、同一形状としたも
のを示しているが、収納しようとする物に対応させて任意の形状とすることができ、財布
や定期券ケースの如き小さい貴重品を入れるようなものとすることもできる。
【００４３】
本考案における上記容器３１は、上方へ延長させた後側壁４の上端部位置に取り付ける
ようにして高所位置にあるようにしてあるため、容器３１への荷物の収納、取出しを楽な
姿勢で行うことができ、又、容器３１は、自転車利用者に面した位置にあることから、盗
難に遭うおそれも少ないものとすることができる。
【００４４】
次に、図５は、荷籠本体１に横長の荷物を収納した状態を示すもので、学生鞄や通勤用
の鞄の如き自転車の荷籠本体１の左右幅寸法よりも大きい寸法を有するような鞄３９を、
荷籠本体１の上部収納部２２に収納するときは、左右のネット部材からなる側壁３０を外
側へ押し広げるようにして横長の鞄３９を収納して、固定の後側中底２１ｂ上に図示の如
く載置させるようにする。この際、ネット部材による側壁３０は、十分な伸縮力を有して
いるので、図示の如く伸びて鞄３９の両端を包むことができる。しかる後、厚手ビニール
製のカバー１３の先端部の折り返し部を伸長させて鞄３９の上面から前面に沿わせ、先端
の係止具１７を、側壁５，６の各後端縁部より内側へ突出させた係止具１６に係止させる
ようにする。これにより横長の鞄３９を斜めにすることなく安定した状態で載せることが
できて、前方の収納スペースを広く利用できるようにすることができるばかりでなく、鞄
３９のほとんどの部分をカバー１３で覆って保護することができるので、擦れ違う際や追
い抜かれる際等で鞄３９が引っ手繰られたりすることがなくなり、自転車走行中や移動中
での鞄の盗難を防止することができる。
【００４５】
図６（イ）（ロ）は本考案の実施の他の形態を示すもので、図１乃至図３に示した実施
の形態において、荷籠本体１の後側壁４の上端部左右両側位置に取り付けたフック１４に
、袋７の伸縮自在な口部８の左右両端部を引掛けて装備するようにした構成に代えて、後
側壁４への装着具４０を用い、該装着具４０の前面側に袋７の口部８を取り付けて、上記
装着具４０を、荷籠本体１の後側壁４の上端部に装着することにより、後側壁４の前側面
へ袋７を装着するようにしたものである。
【００４６】
すなわち、荷籠本体１の後側壁４の上端部に上方から嵌着できるように、金属製又は硬
質プラスチック製の平板又は荷籠本体１の側壁と同様な網目状の板を二つ折り状に折り曲
げて、前側片４１ａと後側片４１ｂからなり且つ断面形状がヘアピン状の装着具本体４１
を成形し、該装着具本体４１の前側片４１ａの左右両端部前面に、袋７の口部８を保持す
るための保持具４２を固定した装着具４０を構成する。該装着具４０の上記装着具本体４
１は、折り曲げられた前側片４１ａと後側片４１ｂが荷籠本体１の後側壁４の上端部を挟
むように上方から嵌着された際に、十分な挟持力を有するように前側片４１ａと後側片４
１ｂの各先端側を接近させた状態で折曲げ成形し、前側片４１ａと後側片４１ｂに弾力性
を付与させた構成としてある。
【００４７】
その他の構成は、図１乃至図３に示したものと同じである。
【００４８】
この実施の形態においては、装着具４０を荷籠本体１の後側壁４に装着する前に、該装
着具４０の前側片４１ａに予め袋７を取り付けておくようにする。この場合、装着具４０
の左右の保持具４２が、図示の如く、図１に示したフック１４と同様のフック形状である
場合には、袋７の伸縮自在となっている口部８の伸縮部材９を直線状に伸ばすようにして
、その両端部をフックに着脱可能に掛けて保持させるようにし、又、保持具４２がループ
状に形成して両端を固定するようにした取手状の場合には、袋７の口部８を直線状に伸ば
して両端部を縫い付けて保持させるようにしたり、袋７の口部８の伸縮部材９を取手状の
保持具４２に通してから口部８を形成して袋７と装着具４０とを一体のものとするように
したり、あるいは、袋７の口部８の左右両端部となる部分を切断して、切断部に係止具を
取り付け、該係止具を着脱させることにより取手状保持具４２に口部８を着脱可能に取り
付けるようにすればよい。この際、袋７は、左右方向の両端部となる位置の口部８側の部
分を切断して開口が形成されるようにしてもよい。かかる開口が形成されるようにしてあ
れば、保持具４２がフックの場合にフックを容易に通すことができ、且つ袋７が破れたり
することを防止できる。
【００４９】
上記のようにして装着具４０に袋７が取り付けられた状態になると、装着具４０を荷籠
に装着することにより、袋７付きの荷籠とすることができる。
【００５０】
本実施の形態の袋付き装着具４０は、適用しようとする荷籠本体１の大きさ（側壁の高
さ）に応じて袋７の上下方向の長さの異なるものを用意しておくようにし、たとえば、図
１に示す如く、後側壁４の高さを高くした形式の荷籠本体１の後側壁４に適用しようとす
るときは、図１に示してある如き上下方向の長さの長い袋７が取り付けてある装着具４０
を用い、袋７の装着側が前面となるようにして後側壁４の上端部を挟むように嵌着させる
ようにする。これにより後側壁４の前側面に袋７を装備させることができる。
【００５１】
又、既存の自転車用荷籠として、後側壁４の高さが他の側壁と同じ高さとしてあるもの
に対しては、上下方向の長さが籠の高さに合わせてある袋７が取り付けてある装着具４０
を用いるようにし、上記した場合と同様に荷籠の後側壁の上端部に装着具４０を装着させ
て、袋７が装備された自転車用荷籠とするようにする。
【００５２】
上記袋７に厚手のビニール製のカバー１３が装着されていることは、図１乃至図３に示
す実施の形態の場合と同様であり、カバー１３の役割りも同様である。
【００５３】
なお、本考案は、上記した実施の形態のみに限定されるものではなく、たとえば、上部
収納部２２の側部にネット部材よりなる側壁３０を設ける場合を説明したが、中底２１の
ない構成において側壁に同様の側壁３０を設けるようにしてもよいこと、中底２１を前後
に分割して、前側中底２１ａを前側壁３に回動自在に取り付けて上下方向へ回動するよう
にした場合を示したが、逆に、前側中底２１ａの後端を後側中底２１ｂに上下方向へ回動
自在に取り付けて、必要に応じて前側中底２１ａを後側へ起立させて上部収納部２２を前
後方向に仕切る仕切板として使用するようにしてもよいこと、又、前側中底２１ａを回動
させる支持方式として、蝶番等の結合部材２４を示したが、これに限定されるものではな
く、たとえば、前側中底２１ａの回動中心側となる端縁部の左右両端に、左右側壁５，６
を貫通して外方へ延びる突起を設けて、該突起を中心に回動できるようにしてもよいこと
、図１に示す実施の形態では、下部収納部２３の一側に開口２５を設けて、該開口２５を
開閉扉２６で開閉する場合を示しているが、上記開口２５より下部収納部２３内へ抽斗を
挿入するようにして、抽斗を引き出すことにより収納物を取り出せるようにしてもよいこ
と、カバー１３と袋７の口部８との接続を、口部８側の伸縮自在とした狭幅のギャザー１
１と連結材１２とからなる構成としたものを示したが、広幅としたギャザー１１のみで袋
７の口部８と厚手ビニールのカバー１３とを接続するようにしてもよいこと、カバー１３
の先端の係止具１７や荷籠本体１に備えた係止具１５と１６をともにボタン式とする場合
を示したが、ボタン式以外のものとしてもよいこと、図１乃至図３、図５では、袋７の口
部８を後側壁４にフック１４を介して取付け支持させておくようにした場合を示したが、
フック１４は、後側壁４周辺のフレームが金属製の線材で構成されている場合に該線材に
フック１４を固定するようにしてもよいこと、上記図１乃至図３、図５に示すフック１４
や図６に示す保持具４２をフックとした場合に、これらフックは上向きにした場合を示し
たが、左右方向の外向きとしてもよく、フックの形状は直線状に限らず、図６（ハ）のよ
うに先端を内側に折り曲げた鉤形、あるいはＣ形等の形状とすることは任意であること、
後側壁４の背面に取り付ける容器３１は２つ取り付けた場合を示したが、２個以外でもよ
く、又、該容器３１の蓋３２のロック方式は、図示以外に面ファスナによる結合方式や、
ワンタッチクリップ方式としたりすることは任意であり、又、ファスナ式に開閉させるよ
うにしてもよいこと、その他本考案の要旨を逸脱しない範囲内で種々の変更を加え得るこ
とは勿論である。
【図面の簡単な説明】
【００５４】
【図１】本考案の自転車用荷籠の概要を示す斜視図である。
【図２】図１の平面図である。
【図３】本考案の自転車用荷籠を示すもので、（イ）は図２のＡ−Ａ方向からの切断側面図、（ロ）は（イ）のＢ部の拡大図、（ハ）はカバーを展張した状態を示す平面図である。
【図４】本考案の自転車用荷籠の概略背面図である。
【図５】本考案の自転車用荷籠に横長の鞄を収納したときの状態を示す斜視図である。
【図６】本考案の実施の他の形態を示すもので、（イ）は要部の斜視図、（ロ）は装着具の正面図、（ハ）は（ロ）の側面図である。
【図７】従来の自転車用荷籠の一例を示す側面図である。
【図８】従来の自転車用荷籠の他の例を示す斜視図である。
【図９】従来の自転車用荷籠に取り付ける袋の例を示すもので、（イ）は荷籠の後側に取り付けた斜視図、（ロ）は荷籠の後側の片側に取り付けた斜視図である。
【図１０】従来の自転車用荷籠の更に他の例を示す斜視図である。
【符号の説明】
【００５５】
１  荷籠本体
２  底部
３  前側壁
４  後側壁
５，６  側壁
７  袋
８  口部
９  伸縮部材
１０  上部開口部
１１  ギャザー
１３  カバー
１５，１６  係止具
１７  係止具
１９，２０  面ファスナ
２１  中底
２１ａ  前側中底
２１ｂ  後側中底
２２  上部収納部
２３  下部収納部
２５  開口
２６  開閉扉
３０  容器
４０  装着具
【図１】
0003109203.tif 000003
【図２】
0003109203.tif 000004
【図３】
0003109203.tif 000005
【図４】
0003109203.tif 000006
【図５】
0003109203.tif 000007
【図６】
0003109203.tif 000008
【図７】
0003109203.tif 000009
【図８】
0003109203.tif 000010
【図９】
0003109203.tif 000011
【図１０】
0003109203.tif 000012